(57)【要約】【課題】  食材等を入れる買い物袋の内の嫌な臭いを確実に取り除くことができるとともに、細菌などの微生物を殺菌消毒することを可能にする。また、買い物袋内部を乾燥させることを可能にする。【解決手段】  筐体１０に内蔵されその先端のエアー吹き出し口２１が筐体１０から突出する送風ダクト２０と、その送風ダクト２０内に設けられ空気を前記エアー吹き出し口２１に送出するファン２２と、筐体１０内に内蔵されたオゾン発生装置１３０と、そのオゾン発生装置１３０で発生されたオゾン１３３を送風ダクト２０に押し出すエアーポンプ１２０と、筐体１０の下方部に設けられ買い物袋３０を吊り下げるための複数のフック１１，１２とを備え、エアー吹き出し口２１から強制風とオゾン１３３がフック１１，１２に吊り下げられた買い物袋３０の内部に供給される。さらに、熱風を供給するヒーター２３を設けても良い。【選択図】        図６
0003131892.tif 000002
【実用新案登録請求の範囲】
【請求項１】
筐体と、
前記筐体に内蔵され、その先端に設けられたエアー吹き出し口が前記筐体の下方部中央部から下向きに突出する送風ダクトと、
前記送風ダクト内に設けられ、空気を前記エアー吹き出し口に送出するファンと、
前記筐体内に内蔵されたオゾン発生装置と、
前記オゾン発生装置で発生されたオゾンをその側面に空けられた孔を介して前記送風ダクト内に供給するダクトと、
前記筐体の下方部に設けられ、買い物袋を吊り下げるための複数のフックと、
を備え、
前記フックに吊り下げられた買い物袋の内部に、前記エアー吹き出し口から吹き出される強制風と共にオゾンを供給することを特徴とする買い物袋用脱臭装置。
【請求項２】
前記送風ダクト内に設けられたヒーターをさらに備え、
前記ヒーターによって暖められた空気によって買い物袋を乾燥すると共に買い物袋内の残留オゾンを分解することを特徴とする請求項１に記載の買い物袋用脱臭装置。
【請求項３】
前記ヒーターは、オゾン発生装置からのオゾンの供給を停止した後に起動されることを特徴とする請求項２に記載の買い物袋用脱臭装置。
【考案の詳細な説明】
【技術分野】
【０００１】
本考案は、食材から放散され買い物袋に付着した嫌な臭いを消すと共に、買い物袋に付着した雑菌を殺す効果も有する買い物袋用消臭装置に関する。
【背景技術】
【０００２】
従来、買い物袋３０に染み付いた食材の臭いを消すためには、洗剤を使用して、買い物袋３０を水洗い洗浄するのが一般的である。
【０００３】
また、特許文献１に示すように、ロッカー内にオゾンランプを設け、作業着、白衣、作業靴、長靴、スリッパ等の着衣や、清掃器具、医療器具等を殺菌、乾燥、消臭することが出来る装置を提供されている。また、遠赤外線照射パネルを設け、乾燥、殺菌を併用することができることも開示されている。
【特許文献１】特開２００６−５１１３７
【考案の開示】
【考案が解決しようとする課題】
【０００４】
しかしながら、本願考案のように、スーパーやコンビニ等の店内に設けられ、買い物袋３０専用に用いられ、買い物袋３０を乾燥、殺菌する装置については何らの記載および示唆はされてない。スーパーやコンビニ等で用いる買い物袋には肉類、魚介類、果物、野菜等を入れるため特に袋の内部には臭いが染み付いてしまう。食材の買い物はほぼ毎日行われるため、その都度洗剤を使用した水洗い洗浄を行わなければならない。また、消臭スプレーのような薬剤を使用した場合、食材を入れる物なので安全性が懸念される。
【０００５】
本考案は、上述の課題を鑑み、買い物袋内に付着した臭いを確実に取り除くことができるとともに、殺菌効果にも優れている買い物袋用消臭装置を提供することを目的とする。
【課題を解決するための手段】
【０００６】
本考案によれば、筐体と、前記筐体に内蔵され、先端にエアー吹き出し口を有し、エアー吹き出し口が前記筐体の下方部中央から下向きに突出する送風ダクトと、送風ダクト中に設けられ空気を前記エアー吹き出し口に送り出すファンと、筐体に内蔵されたオゾン発生装置と、オゾン発生装置で発生されたオゾンを送風ダクトの側面の孔を介して送風ダクトに供給するダクトと、筐体の下方部に設けられ、買い物袋を吊り下げるための複数のフックとを備え、エアー吹き出し口から吹き出される強制風と共にオゾンを、フックに吊り下げられた買い物袋の内部に供給することを特徴とする。
【０００７】
好ましくは、本考案は、送風ダクト内に設けられたヒーターをさらに備え、ヒーターによって暖められた空気によって買い物袋の乾燥および買い物袋内の残留オゾンを分解することを特徴とする。
【０００８】
好ましくは、ヒーターは、オゾン発生装置からのオゾンの供給を停止した後に起動されることを特徴とする。
【考案の効果】
【０００９】
請求項１の考案によれば、筐体と、前記筐体に内蔵され先端にエアー吹き出し口を有しエアー吹き出し口が前記筐体の下方部中央から下向きに突出する送風ダクトと、送風ダクト内に設けられ空気を前記エアー吹き出し口に送り出すファンと、筐体に内蔵されたオゾン発生装置と、オゾン発生装置で発生されたオゾンを側面の孔を介して送風ダクトに供給するダクトと、筐体の下方部に設けられ買い物袋を吊り下げるための複数のフックとを備えるように構成されるので、エアー吹き出し口から吹き出される強制風と共にオゾンを、フックに吊り下げられた買い物袋の内部に供給し、これによって、オゾンを含む強制風は悪臭のもとである化学分子を化学分解し、無臭分子に化学変化させることによる脱臭作用をもたらすので、買い物袋内の嫌な臭いを取り除くことができる。
【００１０】
また、オゾンは細菌などの微生物の細胞活動を阻害し殺菌作用があるため、買い物袋内に付着している細菌などの微生物を殺菌消毒することができる。
【００１１】
また、請求項２の考案によれば、送風ダクト内に設けられたヒーターをさらに備えるので、ヒーターによって暖められた空気によって買い物袋の乾燥および買い物袋内の残留オゾンの分解を助長し、オゾンの臭いを残さないようにすることができる。
【００１２】
また、請求項３の考案によれば、ヒーターは、オゾン発生装置からのオゾンの供給を停止した後に起動されるので、小電力化をはかることができる。
【考案を実施するための最良の形態】
【００１３】
以下、本考案の実施の形態について図面を参照しながら説明する。図１は、本考案の買い物袋用消臭装置の外観を示す図である。図１において、買い物袋用消臭装置１は、筐体１０の下方部に買い物袋３０を吊り下げるためのフック１１、１２と先端にエアー吹き出し部２１を有する送風ダクト２０とを備え、前面に起動スイッチ１０１とオゾンランプ１１１を有する。なお、起動スイッチ１０１とオゾンランプ１１１は正面以外の場所に取り付けることも可能である。
【００１４】
図２は、本考案の買い物袋用消臭装置１を正面からみた形状を示す図である。図２において、フック１１、１２はそれぞれ筐体１０の下方側面に取り付けられる。送風ダクト２０は、筐体１０の中心部に配置され、フック１１およびフック１２に吊り下げられた買い物袋３０の内部に挿入される。送風ダクト２０の先端のエアー吹き出し口２１からは、オゾンを含む空気が吹き出され、買い物袋３０の内部を乾燥させると共に殺菌、消臭する。
【００１５】
フック１１およびフック１２は、図２（ａ）に示すように筐体１０の各側面に取り付けてもよく、図２（ｂ）に示すように筐体１０の下部に取り付けても良い。
【００１６】
図３は、本考案で使用される買い物袋の一例を示す図である。買い物袋３０には把持部３１が設けられ、この把持部３１によって、買い物袋３０は筐体１０に設けられたフック１１およびフック１２に吊り下げられる。
【００１７】
図４は、本考案の筐体に設けられたフックに買い物袋の把持部を吊り下げる様子を示す図である。図４において、フック１１およびフック１２の位置は、買い物袋３０の把持部３１をフック１１およびフック１２に吊り下げたときに、送風ダクト２０が買い物袋３０の内部に挿入されるような位置に設けられる。図４（ａ）は、把持部３１が、筐体１０の各側面のフック１１およびフック１２に吊り下げられた状態を示し、図４（ｂ）は把持部３１が、筐体１０の下部のフック１１および１２に吊り下げられた状態を示している。
【００１８】
図５は、本考案の買い物袋用消臭装置の取り付け状態を示す図である。図５（ａ）は、筐体１０の各側面にフック１１およびフック１２が設けられた買い物袋用消臭装置が壁に取り付けられた状態を示す図であり、図５（ｂ）は、筐体１０の下部にフック１１およびフック１２が設けられた買い物袋用消臭装置が支柱に取り付けられた状態を示す図である。図５（ａ）の壁面４０に、図５（ｂ）のように筐体１０の下部にフック１１およびフック１２が設けられた買い物袋用消臭装置を取り付けても良く、また、図５（ｂ）の支柱５０に、図５（ａ）のように筐体１０の各側面にフック１１およびフック１２が設けられた買い物袋用消臭装置を取り付けても良い。図５（ａ）、（ｂ）において、４１は、例えば、スーパーやコンビニ等の店の床である。図５（ｂ）において、５１は支柱５０を取り付けるための台である、このように、買い物袋用消臭装置１は店の状況に応じてどのような取り付け方をしても良い。
【００１９】
図６は、本考案の買い物袋用消臭装置１の全体構造および電気回路を示す図である。図６において、筐体１０は、概略的には、各部を制御するために制御回路１００、オゾンを発生するオゾン発生装置１３０、オゾン発生装置１３０に供給する高電圧を発生するオゾン発生用高圧電源１１０、オゾン発生装置１３０内の電極１３１、１３２で発生されたオゾンを送出するための空気を生成するエアーポンプ１２０、オゾンを買い物袋３０に送出するための送風ダクト２０、送風ダクト２０内にあって風を生成するファン２２、送風ダクト２０の先端に設けられたエアー吹き出し口２１、ファン２２で生成された空気を暖めるためのヒーター２３から構成される。ここで、ダクト１２１、オゾン発生装置１３０、ダクト１３５および送風ダクト２０の一部は内部構造が分かるように断面図で示してある。送風ダクト２０は内部を表示するために点線で示してある。
【００２０】
次に、この買い物袋用消臭装置１を動作させる手順について以下に説明する。起動スイッチ１０１をオンにすると、制御回路１００が動作を開始する。制御回路１００が動作すると、電源線１０３を介してオゾン発生用高圧電源１１０に、電源線１０４を介してファン２２に、電源線１０５を介してエアーポンプ１２０に、電源線１０６を介してヒーター２３に電源が供給される。なお、電源線１０６を介してヒーター２３に電源を供給するか否かは、選択可能である。
【００２１】
電源線１０３を介してオゾン発生用高圧電源１１０に電源が供給されると、オゾンランプ１１１が点灯すると共に、オゾン発生用高圧電源１１０で発生された高電圧が高圧線１１２を介してオゾン発生装置１３０の電極１３１、１３２に印加され、電極１３１、１３２間にオゾンが発生される。オゾン発生装置１３０の電極１３１、１３２で発生されたオゾンは、エアーポンプ１２０で生成されダクト１２１を介して矢印１２２の方向に供給される空気によって矢印１３４の方向に押し出され、ダクト１３５を介して矢印１３６の方向に向かって送風ダクト２０内に押し出される。
【００２２】
一方、送風ダクト２０内にはファン２２が設けられ、起動スイッチ１０１のオンと同時に制御回路１００から電源線１０４を介してこのファン２２に電源が供給され、ファン２２で生成された空気が矢印２４の方向に送出される。このファン２２で生成された空気はオゾン発生装置１３０で発生されたオゾン１３３と一緒にエアー吹き出し口２１を介して買い物袋３０に送出される。このオゾンと空気とによって、買い物袋３０の内面に付着した悪臭のもとである分子は化学分解される。これによって、買い物袋３０の内部の嫌な臭いは除去されるとともに、買い物袋３０の内部は乾燥される。
【００２３】
図７は、制御回路１００から各電源線１０３、１０４、１０５、１０６に供給される電圧のタイムチャートを示す。図７（ａ）に示すように、起動スイッチ１０１を一時的にオンにすると、電源線１０３、１０４、１０５に電圧が印加され、オゾン発生用高圧電源１１０、ファン２２、エアーポンプ１２０が動作を開始する。一定時間、例えば、３０秒〜３分が経過すると、制御回路１００によって、電源線１０３の電圧はオフになり、オゾン発生用高圧電源１１０で発生される高電圧は遮断され、電極１３１、１３２に高電圧が供給されなくなり、オゾンの発生は終了する。その後一定時間が経つと、制御回路１００によって、電源線１０４，１０５への供給電圧はオフになり、ファン２２およびエアーポンプ１２０の動作は停止し、買い物袋用消臭装置１の動作は終了する。
【００２４】
なお、図７（ｅ）に示すように、電源線１０６を介してヒーター２３に電源を供給するようにすることもできる。この場合、制御回路１００は、電源線１０６を介してヒーター２３に電源を供給し、ヒーター２３を発熱させる。この場合、ヒーター２３から供給される熱風が買い物袋３０に送風され買い物袋３０の内部を乾燥させると共に、買い物袋３０内でオゾンによって化学分解された残留物質を熱によって分解する。
【００２５】
また、図７（ｆ）に示すように、電源線１０３への供給電圧がオフになったときに、電源線１０６に電圧が供給され、電源線１０４，１０５への供給電圧がオフになったときに電源線１０６への供給電圧がオフになるようにプログラムすることもできる。この場合、電源線１０６に電圧が供給される間ヒーター２３が発熱し、熱風が買い物袋３０に送風され買い物袋３０の内部を乾燥させると共に、買い物袋３０内でオゾンによって化学分解された残留物質を熱によって分解する。このような所定期間ヒーター２３をオンにすると装置の省電力化を図ることができる。
【００２６】
本考案は、上述した実施形態に限定されるものではなく、この考案の要旨を逸脱しない範囲内で様々な変形や応用が可能である。
【産業上の利用可能性】
【００２７】
本考案は、オゾン発生装置で発生されたオゾンを送風ダクトから買い物袋に供給し、その買い物袋の内部に付着した嫌な臭いを取り除くと共に、殺菌効果にも優れている買い物袋用消臭装置として使用することができる。
【図面の簡単な説明】
【００２８】
【図１】本考案の買い物袋用消臭装置の外観を示す図である。
【図２】本考案の買い物袋用消臭装置を正面からみた形状を示す図である。
【図３】本考案で使用される買い物袋の一例を示す図である。
【図４】本考案の筐体に設けられたフックに買い物袋の把持部を吊り下げる様子を示す図である。
【図５】本考案の買い物袋用消臭装置の取り付け状態を示す図である。
【図６】本考案の買い物袋用消臭装置の全体構造および電気回路を示す図である。
【図７】本考案の制御回路から各電源線に供給される電圧のタイムチャートを示す。
【符号の説明】
【００２９】
１  買い物袋用脱臭装置
１０  筐体
１１，１２  買い物袋吊り下げ用フック
２０  送風ダクト
２１  エアー吹き出し口
２２  ファン
２３  ヒーター
２４  矢印
３０  買い物袋
３１  把持部
４０  壁
４１  床
５０  支柱
５１  台
１００  制御回路
１０１  起動スイッチ
１０３  電源線
１０４  電源線
１０５  電源線
１０６  電源線
１１０  高圧電源
１１１  オゾンランプ
１１２  高圧線
１２０  エアーポンプ
１２１  ダクト
１２２  矢印
１３０  オゾン発生装置
１３１，１３２  電極
１３３  オゾン
１３４  矢印
１３５  ダクト
１３６  矢印
【図１】
0003131892.tif 000003
【図２】
0003131892.tif 000004
【図３】
0003131892.tif 000005
【図４】
0003131892.tif 000006
【図５】
0003131892.tif 000007
【図６】
0003131892.tif 000008
【図７】
0003131892.tif 000009